(57)【特許請求の範囲】
【請求項１】
ユーザー通信機器とサーバー間の通信回線に設置され、前記ユーザー通信機器と前記サーバーとの間で前記通信回線を通じてデータを送受信する通信インターフェースであって、
前記サーバー及び前記ユーザー通信機器とデータ送受信を行う送受信部と、
前記サーバーから送信された接続確認用データを記憶する記憶部と、
前記接続確認用データを受信したときに該接続確認用データを前記記憶部へ記憶する処理と、前記接続確認用データの受信から所定時間経過後に該接続確認用データを含む返信データを前記送受信部から前記サーバーへ送信する処理と、を行う制御ＣＰＵと、を備えたことを特徴とする通信インターフェース。
【請求項２】
請求項１に記載の通信インターフェースであって、
前記制御ＣＰＵは、前記サーバーから受信したデータ送信要求のデータに基づき、前記記憶部に記憶されているデータを、前記サーバーへ送信する処理を行うことを特徴とする通信インターフェース。
【請求項３】
前記通信回線は、電話回線を含む通信回線であることを特徴とする請求項１又は２記載の通信インターフェース。
【請求項４】
前記通信インターフェースは、前記ユーザー通信機器に内蔵されたことを特徴とする請求項１から３のいずれかに記載の通信インターフェース。
【請求項５】
ユーザー通信機器とサーバー間の通信回線での通信に於けるユーザー確認方法であって、
前記ユーザー通信機器は、前記通信回線を通じて前記サーバーへデータ送受信を行う通信インターフェースを備え、
通信回線接続時に、前記サーバーが、前記ユーザー通信機器の通信回線番号を取得する第１のステップと、
前記ユーザー通信機器が、ユーザー認証データを前記サーバーへ送信する第２のステップと、
前記サーバーが、前記ユーザー通信機器から前記ユーザー認証データを受信し、該ユーザー認証データにもとづきユーザーの認証を行い、ユーザーが認証されれば前記通信回線の接続を維持し、ユーザーが認証されなければ前記通信回線の接続を切断する第３のステップと、
前記サーバーが、前記通信回線番号にもとづきユーザーの認証を行い、ユーザーが認証されれば前記通信回線の接続を維持し、ユーザーが認証されなければ前記通信回線の接続を切断する第４のステップと、を備えていることを特徴とする通信に於けるユーザー確認方法。
【請求項６】
請求項５に記載の通信に於けるユーザー確認方法であって、
前記第４のステップの後に、前記サーバーが前記通信インターフェースへデータ送信要求用データを送信する第５のステップと、
前記通信インターフェースが、前記データ送信要求用データを受信し、前記サーバーへ返信データを送信する第６のステップと、
前記サーバーが、前記返信データを受信し、該返信データにもとづきユーザーの認証を行い、ユーザーが認証されれば前記通信回線の接続を維持し、ユーザーが認証されなければ前記通信回線の接続を切断する第７のステップと、
前記サーバーが、前記通信インターフェースへ接続確認用データを送信する第８のステップと、
前記通信インターフェースが、前記接続確認用データを受信し、該接続確認用データの受信から所定時間経過後に、該接続確認用データを含む確認データを前記サーバーへ返信する第９のステップと、
前記サーバーが、前記確認データを受信し、該確認データと前記接続確認用データの内容が一致しているか否かを確認し、一致していれば前記通信回線の接続を維持し、一致していなければ前記通信回線の接続を切断する第１０のステップと、を備えていることを特徴とする通信に於けるユーザー確認方法。
【請求項７】
請求項６に記載の通信に於けるユーザー確認方法であって、
前記通信回線の接続中において、前記第１０のステップの後に再び前記第８のステップが行われることを特徴とする通信に於けるユーザー確認方法。
【請求項８】
請求項６または７に記載の通信に於けるユーザー確認方法であって、
前記接続確認用データは、前記サーバーからの送信ごとに異なるデータを含むことを特徴とする通信に於けるユーザー確認方法。
【請求項９】
請求項６から８のいずれかに記載の通信に於けるユーザー確認方法であって、
前記接続確認用データは、前記サーバーによって生成された任意の複数の記号を含むことを特徴とする通信に於けるユーザー確認方法。
【請求項１０】
ユーザー通信機器とサーバー間の通信回線に設置され、前記ユーザー通信機器と前記サーバーとの間で前記通信回線を通じてデータを送受信する通信インターフェースにおいて、
前記サーバーから受信したデータ送信要求用データにもとづき、返信データを前記サーバーへ送信する第１の処理と、
前記サーバーから受信した接続確認用データを記憶する第２の処理と、
前記接続確認用データを受信してから所定時間経過後に、該接続確認用データを含む確認データを前記サーバーへ返信する第３の処理と、を前記通信インターフェースに実行させるためのプログラム。
【請求項１１】
通信インターフェースを備えたユーザー通信機器と通信回線を介してデータ通信を行うサーバーにおいて、
前記ユーザー通信機器との通信回線接続時に、通信回線番号を取得する第１の処理と、
前記ユーザー通信機器からユーザー認証データを受信し、該ユーザー認証データにもとづきユーザーの認証を行い、ユーザーが認証されれば前記通信回線の接続を維持し、ユーザーが認証されなければ前記通信回線の接続を切断する第２の処理と、
前記通信回線番号にもとづきユーザーの認証を行い、ユーザーが認証されれば前記通信回線の接続を維持し、ユーザーが認証されなければ前記通信回線の接続を切断する第３の処理と、
データ送信要求用データを生成し、該データ送信要求用データを前記通信インターフェースへ送信する第４の処理と、
前記通信インターフェースから受信した返信データにもとづきユーザーの認証を行い、ユーザーが認証されれば前記通信回線の接続を維持し、ユーザーが認証されなければ前記通信回線の接続を切断する第５の処理と、
接続確認用データを生成し、該接続確認用データを前記通信インターフェースへ送信する第６の処理と、
前記通信インターフェースから受信した確認データと前記接続確認用データの内容が一致しているか否かを確認し、一致していれば前記通信回線の接続を維持し、一致していなければ前記通信回線の接続を切断する第７の処理と、
前記確認データを記憶する第８の処理と、を前記サーバーに実行させるためのプログラム。
【請求項１２】
請求項１１に記載のプログラムであって、
前記通信回線の接続中において、第８の処理の後に、再び第６の処理を前記サーバーに実行させるためのプログラム。
【請求項１３】
通信回線に接続されたユーザー通信機器、販売側通信機器とサーバーとの間で商品又は情報が売買される通信回線上における商品・情報の購入システムであって、
前記ユーザー通信機器は、前記サーバーへ商品又は情報の購入要求データを送信する手段と、第１の通信インターフェースと、を備え、
前記販売側通信機器は、前記サーバーと商品又は情報に関するデータを送受信する手段と、第２の通信インターフェースと、を備え、
前記第１及び第２の通信インターフェースは、該サーバーと接続確認のためのデータ送受信を行う手段を備え、
前記サーバーは、前記ユーザー通信機器及び前記販売側通信機器と商品又は情報に関するデータを送受信する手段と、前記第１又は第２通信インターフェースとの通信回線接続中の所定時間ごとに前記第１又は第２通信インターフェースと接続確認のためのデータ送受信を行う手段と、を備えたことを特徴とする通信回線上における商品・情報の購入システム。
【発明の詳細な説明】
【０００１】
【発明の属する技術分野】
本発明は、通信インターフェース、通信に於けるユーザー確認方法、プログラム及び通信回線上における商品・情報の購入システムに係り、特に有線通信においてサーバー側からユーザー側を所定時間経過ごとに接続確認する通信インターフェース、前記通信インターフェースを用いたユーザーの確認方法、プログラム及び前記通信インターフェースを用いた通信回線上における商品・情報の購入システムに関する。
【０００２】
【従来の技術】
インターネットのようなネットワーク環境では、通信する相手が不特定多数であり、通信相手が本当に意図した人間なのかを身元確認するのは非常に困難である。それにもかかわらず、インターネットでのいわゆる電子商取引等において商品の発注書やクレジットカード番号等のメッセージ交換が行われている。
【０００３】
従来より、サーバー側が通信回線においてユーザーを確認する方法として、ユーザーからサーバー側に電話をかけてＩＤ番号を送り、一旦回線を切断し、その後サーバー側で、そのＩＤ番号と一対のデータとして記憶されているユーザーの電話番号に対して電話を掛け直すという手順による認証がある。
【０００４】
その他の方法としては、サーバー側でユーザーから送信されたＩＤ番号、パスワード等と、サーバー側に登録されているものとを比較して、ユーザーを確認するという認証方法がある。
【０００５】
【発明が解決しようとする課題】
前者の方法ではサーバー側が電話の掛け直しを行うためその分手間がかかり、また掛け直し時にミスが生じるおそれがあった。また、後者の方法では、ユーザー以外の他人によってユーザーのＩＤ番号とパスワードが不正に知得された場合に、そのＩＤ番号とパスワードを不正に使用して、正規のユーザーとは別の場所から接続されるようなことがある。このような場合に、情報配信サービス等を行うサーバー側では、もはやその通信相手が本当に意図した人間か否かを判別するのは非常に困難になってしまうという問題があった。
【０００６】
そして、上記のように情報配信サービスを行うサーバー側への接続を誤使用、又は不正に行いサーバー側の接続許可を得た場合、正規のユーザーに確認の手続きの手間をかけて煩わすような負担なしに、サーバー側がユーザーを確認する事も大変困難である。
【０００７】
したがって、近年増えつつあるインターネットへの常時接続による情報配信サービスを行うサーバーと、ユーザーとの接続中においても、ユーザーに負担をかけずにサーバー側がユーザーを確認する事は大変困難である。
【０００８】
また、上記常時接続においては、ハッカー等によって不正にユーザーのＩＤやパスワードといった秘密情報がユーザー以外に流出する可能性が高くなるという危惧がある。
【０００９】
さらに、サーバー側からの情報等の提供において、上記ハッカー等からの不正に抗する安全な課金方式が明確には確立されていないという問題がある。情報提供側であるサーバー側の課金方法としては、共通鍵や公開鍵及びそれらを組み合わせて行う情報の暗号化を利用した電子認証等を使用した、さまざまなアイデアが発表されているが、ユーザー側の立場で考えられた課金（支払）方法はなく、現状の課金（支払）方法に対し、ユーザーの大半は不安感を抱いているという現状がある。
【００１０】
ひいては、企業間電子商取引、企業−消費者間電子商取引をインターネット上で安全に展開することに対する危惧に繋がるという問題がある。
【００１１】
現在のインターネットにおけるプロバイダーの収益としては、契約ユーザーの接続料金、ウェブサイト内のバナー広告等の広告収益、情報・商品等の販売収益、またこれらに付随する収益等がある。しかし、これら収益はいずれも減少もしくは停滞気味でありプロバイダーの運営自体が大変厳しい状態であるという現状もある。
【００１２】
本発明の目的は、サーバー側に予め登録されているユーザー側通信機器とサーバーが通信回線を通して接続されたときに、ユーザーが複雑な操作を行うことなく、サーバーによってユーザーの接続が確認できると共に、不正接続者によって通信回線の誤使用及び不正使用が行われたときに於ても、その不正接続が判別できる通信インターフェース、通信に於けるユーザー確認方法及びプログラムを提供することにある。
【００１３】
また、本発明の別の目的は、電子商取引において、ユーザーがサーバー側から有益な商品、情報を安全に購入することができ、サーバー等の商品、情報提供側も確実に購入者を特定することができ、さらに企業間電子商取引及び企業−消費者間電子商取引のインターネット上での展開を容易にすることができる通信回線上における商品・情報の購入システムを提供することにある。
【００１４】
【課題を解決するための手段】
上記課題は、本発明の請求項１に係る通信インターフェースによれば、ユーザー通信機器とサーバー間の通信回線に設置され、前記ユーザー通信機器と前記サーバーとの間で前記通信回線を通じてデータを送受信する通信インターフェースであって、前記サーバー及び前記ユーザー通信機器とデータ送受信を行う送受信部と、前記サーバーから送信された接続確認用データを記憶する記憶部と、前記接続確認用データを受信したときに該接続確認用データを前記記憶部へ記憶する処理と、前記接続確認用データの受信から所定時間経過後に該接続確認用データを含む返信データを前記送受信部から前記サーバーへ送信する処理と、を行う制御ＣＰＵと、を備えたことにより解決される。
【００１５】
このように、通信インターフェースは、ユーザー通信機器とサーバーとの間で回線接続されているとき、サーバーから送信された接続確認用データを記憶すると共に、所定時間経過後に前記接続確認用データを含む返信データをサーバーへ送信するように構成されている。
【００１６】
したがって、サーバーは、受信した返信データと送信した接続確認用データを比較することにより、サーバーからの接続確認データを受信した通信インターフェースと、所定時間経過後に返信データを送信した通信インターフェースとが同じであること、すなわちユーザーが同じであることを確認することができる。
【００１７】
また、請求項２に記載のように、前記制御ＣＰＵは、前記サーバーから受信したデータ送信要求のデータに基づき、前記記憶部に記憶されているデータを、前記サーバーへ送信する処理を行うようにすれば好適である。サーバーは、通信インターフェースからデータ送信要求にもとづいたデータを取得することができるので、通信インターフェースの認証を行うことができる。
【００１８】
また、請求項３に記載のように、前記通信回線は、電話回線を含む通信回線であることにより、通信インターフェースは、インターネットでのユーザーの認証にも、容易に適用される。
【００１９】
また、請求項４に記載のように、前記通信インターフェースは、前記ユーザー通信機器に内蔵されれば好適である。
【００２０】
また、本発明の請求項５に係る通信に於けるユーザー確認方法は、ユーザー通信機器とサーバー間の通信回線での通信に於けるユーザー確認方法であって、前記ユーザー通信機器は、前記通信回線を通じて前記サーバーへデータ送受信を行う通信インターフェースを備え、通信回線接続時に、前記サーバーが、前記ユーザー通信機器の通信回線番号を取得する第１のステップと、前記ユーザー通信機器が、ユーザー認証データを前記サーバーへ送信する第２のステップと、前記サーバーが、前記ユーザー通信機器から前記ユーザー認証データを受信し、該ユーザー認証データにもとづきユーザーの認証を行い、ユーザーが認証されれば前記通信回線の接続を維持し、ユーザーが認証されなければ前記通信回線の接続を切断する第３のステップと、前記サーバーが、前記通信回線番号にもとづきユーザーの認証を行い、ユーザーが認証されれば前記通信回線の接続を維持し、ユーザーが認証されなければ前記通信回線の接続を切断する第４のステップと、を備えていることを特徴とする。
【００２１】
通信回線接続時に取得した回線番号によりユーザーが確認されるので、回線接続した者が不正にユーザー認証データを知得した接続者であった場合にでも、認証が可能となるので好適である。
【００２２】
さらに、請求項６に記載のように、前記第４のステップの後に、前記サーバーが前記通信インターフェースへデータ送信要求用データを送信する第５のステップと、前記通信インターフェースが、前記データ送信要求用データを受信し、前記サーバーへ返信データを送信する第６のステップと、前記サーバーが、前記返信データを受信し、該返信データにもとづきユーザーの認証を行い、ユーザーが認証されれば前記通信回線の接続を維持し、ユーザーが認証されなければ前記通信回線の接続を切断する第７のステップと、前記サーバーが、前記通信インターフェースへ接続確認用データを送信する第８のステップと、前記通信インターフェースが、前記接続確認用データを受信し、該接続確認用データの受信から特定時間経過後に、該接続確認用データを含む確認データを前記サーバーへ返信する第９のステップと、前記サーバーが、前記確認データを受信し、該確認データと前記接続確認用データの内容が一致しているか否かを確認し、一致していれば前記通信回線の接続を維持し、一致していなければ前記通信回線の接続を切断する第１０のステップと、を備えるようにしてもよい。
【００２３】
さらに、請求項７に記載のように、前記通信回線の接続中において、前記第１０のステップの後に再び前記第８のステップが行われるようにしてもよい。通信回線接続中は、引き続き所定時間ごとのユーザー認証がされ続けるので、ユーザー及びサーバーは、安全にデータ送受信することができる。
【００２４】
さらに、請求項８に記載のように、前記接続確認用データは、前記サーバーからの送信ごとに異なるデータを含むことにより、より確実にユーザーの認証を行うことができるので好適である。
【００２５】
さらに、請求項９に記載のように、前記接続確認用データは、前記サーバーによって生成された任意の複数の記号を含むことにより、より確実にユーザーの認証を行うことができるので好適である。
【００２６】
また、本発明の請求項１０に係るプログラムは、ユーザー通信機器とサーバー間の通信回線に設置され、前記ユーザー通信機器と前記サーバーとの間で前記通信回線を通じてデータを送受信する通信インターフェースにおいて、前記サーバーから受信したデータ送信要求用データにもとづき、返信データを前記サーバーへ送信する第１の処理と、前記サーバーから受信した接続確認用データを記憶する第２の処理と、前記接続確認用データを受信してから特定時間経過後に、該接続確認用データを含む確認データを前記サーバーへ返信する第３の処理と、を前記通信インターフェースに実行させるものである。
【００２７】
また、本発明の請求項１１に係るプログラムは、通信インターフェースを備えたユーザー通信機器と通信回線を介してデータ通信を行うサーバーにおいて、前記ユーザー通信機器との通信回線接続時に、通信回線番号を取得する第１の処理と、前記ユーザー通信機器からユーザー認証データを受信し、該ユーザー認証データにもとづきユーザーの認証を行い、ユーザーが認証されれば前記通信回線の接続を維持し、ユーザーが認証されなければ前記通信回線の接続を切断する第２の処理と、前記通信回線番号にもとづきユーザーの認証を行い、ユーザーが認証されれば前記通信回線の接続を維持し、ユーザーが認証されなければ前記通信回線の接続を切断する第３の処理と、データ送信要求用データを生成し、該データ送信要求用データを前記通信インターフェースへ送信する第４の処理と、前記通信インターフェースから受信した返信データにもとづきユーザーの認証を行い、ユーザーが認証されれば前記通信回線の接続を維持し、ユーザーが認証されなければ前記通信回線の接続を切断する第５の処理と、接続確認用データを生成し、該接続確認用データを前記通信インターフェースへ送信する第６の処理と、前記通信インターフェースから受信した確認データと前記接続確認用データの内容が一致しているか否かを確認し、一致していれば前記通信回線の接続を維持し、一致していなければ前記通信回線の接続を切断する第７の処理と、前記確認データを記憶する第８の処理と、を前記サーバーに実行させるものである。
【００２８】
また、請求項１２に記載のように、前記通信回線の接続中において、第８の処理の後に、再び第６の処理を前記サーバーに実行させるようにしてもよい。
【００２９】
また、上記課題は、本発明の請求項１３に係る商品・情報の購入システムによれば、通信回線に接続されたユーザー通信機器、販売側通信機器とサーバーとの間で商品又は情報が売買される商品・情報の購入システムであって、前記ユーザー通信機器は、前記サーバーへ商品又は情報の購入要求データを送信する手段と、第１の通信インターフェースと、を備え、前記販売側通信機器は、前記サーバーと商品又は情報に関するデータを送受信する手段と、第２の通信インターフェースと、を備え、前記第１及び第２の通信インターフェースは、該サーバーと接続確認のためのデータ送受信を行う手段を備え、前記サーバーは、前記ユーザー通信機器及び前記販売側通信機器と商品又は情報に関するデータを送受信する手段と、前記第１又は第２通信インターフェースとの通信回線接続中の所定時間ごとに前記第１又は第２通信インターフェースと接続確認のためのデータ送受信を行う手段と、を備えたことにより解決される。
【００３０】
サーバーは、所定時間ごとにユーザー通信機器及び販売側通信機器の接続確認を第１及び第２の通信インターフェースとの間で行うので、通信相手が特定される。また、不正接続者が、前記通信インターフェースを介さずに、不正にＩＤやパスワード等を使用してサーバーに接続したとしても、サーバーによってその不正接続が確認される。
【００３１】
したがって、不正接続者によって、商品・情報が不正に購入されることがない。商品・情報の販売側は、安心して商品等を販売することができ、ユーザーも安心して商品等を購入することができる。
【００３２】
【発明の実施の形態】
以下、図面を参照して本発明の通信インターフェースを、インターネットを含む通信回線上で通信を行う際に使用するモデムＡに適用した場合の一実施例について説明する。なお、以下に説明する構成、処理ステップ、装置等は本発明を限定するものではなく、本発明の趣旨の範囲内で種々改変することができるものである。
【００３３】
図１は本発明の実施例におけるモデムとサーバーの接続にかかる部分のブロック図、図２はサーバーによるモデム確認の流れ図、図３はサーバーによるモデム確認における割り込みルーチンの流れ図、図４はプロバイダーとユーザーとの回線接続の説明図、図５はプロバイダー、ユーザー及び商品・情報提供企業との回線接続の説明図、図６はプロバイダー、ユーザー及び商品・情報提供企業との商品・情報等の流れの説明図である。
【００３４】
図1は本発明の通信インターフェースにかかるモデムＡとサーバーＢとの回線接続にかかる部分のブロック図である。モデムＡは制御ＣＰＵ１０と、接続機器送受信部１１と、常時接続送受信部１２と、記憶部１３等から構成される。制御ＣＰＵ１０は、通信端末３０とサーバーＢとのデータ授受の制御、受信したデジタル信号をアナログ信号に変換、受信したアナログ信号をデジタル信号に変換、サーバーＢからのデータ送信要求に従ってデータの送受信及び記憶部１３へのデータ授受制御等を行う。
【００３５】
接続機器送受信部１１は通信端末３０とデジタル信号のデータ送受信を行い、１０ＢＡＳＥ−Ｔ、ＲＳ-２３２Ｃ、ＵＳＢ等による接続ポートを有している。常時接続送受信部１２は、サーバーＢと通信回線を通じてアナログ信号のデータ送受信を行い、ＩＮＳ、ＡＤＳＬ又はアナログポート等を有している。なお、接続機器送受信部１１と常時接続送受信部１２は、それぞれの機能を有した一体の送受信部として構成してもよい。
【００３６】
記憶部１３は、制御ＣＰＵ１０の作動プログラムの格納、サーバーＢからのデータの記憶及び作業領域等として利用される。また、記憶部１３には、サーバーＢとのデータ送受信用のためのデータが記憶される。
【００３７】
モデムＡは、ユーザーによって予め、通信端末３０とサーバーＢとの回線接続前の設定時に、回線番号等の入力が行われ、この回線番号等は記憶部１３内に記憶される。また、記憶部１３には、モデムＡ固有のシリアル番号も記憶されている。さらに、記憶部１３には、モデムＡとサーバーＢとの回線接続中に行われるサーバーＢからモデムＡへの接続確認の接続記録データが記憶される。
【００３８】
接続記録データは、所定回数分が順次記憶され、それに伴い、時間的に古い接続記録データは消去されていくものである。接続記録データとしては、サーバーＢからの接続確認要求信号、接続確認要求信号と共に送信されてくる乱数データ、送信時間、回線番号、モデムＡ固有のシリアル番号等である。接続記録データが記憶される回数については、ユーザーが設定することができるようにしてもよいし、例えば１０回分、２０回分といったように予め設定されていてもよい。
【００３９】
モデムＡは、通信端末３０の種類によらず使用することが可能であり、通信端末を交換する際も、特にモデムＡの設定変更は必要ない。
【００４０】
モデムＡは、通信端末３０と上記のように有線によるデータ送受信を行うように構成されてもよいし、無線によるデータ送受信を行うように構成されてもよい。また、モデムＡが、通信端末３０に内蔵される構成であってもよい。
【００４１】
さらに、通信端末３０が、モデムＡの機能及び構成を含み、モデムＡの機能を有した通信端末３０として一体に構成されてもよい。この場合、通信端末３０は、通信端末３０本来の動作を制御するＣＰＵ、記憶部、データ入出力部、データ送受信部以外に、付属的にモデムＡの制御ＣＰＵ１０、記憶部１３、常時接続送受信部１２等が設けられた構成となる。又は、通信端末３０本来の動作を制御するＣＰＵ自体に、制御ＣＰＵ１０の機能が追加された構成としてもよい。
【００４２】
サーバーＢは、制御ＣＰＵ２０と、送受信部２１と、記憶部２３、不図示のデータ入出力部、不図示のデータ表示部等から構成される。制御ＣＰＵ２０は、通信端末３０とのデータ送受信の制御、モデムＡとの接続確認のための制御及び外部機器とのデータ授受制御等を行う。記憶部２３は、ＣＰＵ２０の作動プログラムの格納、モデムＡからのデータの一時記憶及び作業領域等として利用される。
【００４３】
また、記憶部２３には、ユーザー登録データが記憶される。ユーザー登録データには、予め、通信端末３０との回線接続前の登録によって設定されたユーザーごとのユーザーＩＤ番号、パスワード、モデムＡ固有のシリアル番号、回線番号等が記憶される。
【００４４】
さらに記憶部２３には、接続記録データが記憶される。接続記録データには、モデムＡとサーバーＢとの回線接続中に送受信された接続確認の記録である接続確認要求信号、乱数データ、送信時間、モデムＡ固有のシリアル番号、回線番号等がユーザーごとに所定回数分記憶される。
【００４５】
サーバーＢによるモデムＡの確認方法について、図２及び図３にもとづき説明する。通信端末３０とサーバーＢは、予め使用登録が行われている。まず、ユーザー側のモデムＡの処理について説明する。ステップＳ１０で、通信端末３０とサーバーＢとの回線接続処理のためのデータが、モデムＡを介して送信されることにより回線が接続され、ステップＳ１１へ進む。
【００４６】
ステップＳ１１で、ユーザーとサーバーＢ間で登録設定されたユーザーＩＤとパスワードがモデムＡを介して送信される。ユーザーＩＤとパスワード及びユーザーの回線番号が、サーバーＢによって取得され、サーバーＢが有するユーザー登録データと照合が行われる。その結果、正規のユーザーであると認められると、サーバーＢは、モデムＡに対して回線番号、前回接続記録及びモデムＡ固有のシリアル番号のデータ送信要求を送信する。
【００４７】
次に、ステップＳ１２で、モデムＡは前記データ送信要求を受信すると、ステップＳ１３へ進む。ステップＳ１３で、モデムＡの記憶部１３の接続記録データが参照され、サーバーＢとの過去の接続記録データがあるか否かが判別される。
【００４８】
ステップＳ１３で、過去の接続記録データがあると判別された場合（ステップＳ１３；ＹＥＳ）は、ステップＳ１４で、過去の接続記録データのなかで最新の接続記録データの一部（接続確認要求信号、乱数データ、送信時間）と、モデムＡ固有のシリアル番号、回線番号がサーバーＢへ送信され、ステップＳ１６へ進む。ただし、モデムＡ固有のシリアル番号、回線番号は、接続記録データとして記録されているものが送信されてもよい。
【００４９】
一方、ステップＳ１３で、過去の接続記録データがないと判別された場合（ステップＳ１３；ＮＯ）は、ステップＳ１５でモデムＡ固有のシリアル番号及び回線番号のみが返信され、ステップＳ１６へ進む。過去の接続記録データをモデムＡが有していない場合とは、通信端末３０とサーバーＢとの回線接続が初回の場合、モデムＡの接続設定をユーザーがやり直し等した原因により記憶部１３内の接続記録データが失われた場合である。
【００５０】
ステップＳ１６で、モデムＡによってサーバーＢからの接続確認要求が受信されると、ステップＳ１７では、ステップＳ１６で受信された接続確認要求が、最新の接続記録データとされ、記憶部１３の接続記録データが更新される。なお、サーバーＢからの接続確認要求には、接続確認要求信号、乱数データ、送信時間、モデムＡ固有のシリアル番号、回線番号等が含まれる。
【００５１】
そして、ステップＳ１８では、ステップＳ１７において接続確認要求が受信されてから一定時間（例えば、１０秒）経過したか否かが判別され、一定時間経過した場合（ステップＳ１８；ＹＥＳ）は、ステップＳ１９へ進む。一方、一定時間経過していない場合（ステップＳ１８；ＮＯ）は、ステップＳ１８を繰り返す。
【００５２】
ステップＳ１９では、モデムＡの記憶部１３に更新された最新の接続記録データの一部（接続確認要求信号、乱数データ、送信時間）とモデムＡ固有のシリアル番号及び回線番号が、サーバーＢへ返信され、ステップＳ２０へ進む。ただし、モデムＡ固有のシリアル番号、回線番号は、最新の接続記録データのものが返信されてもよい。
【００５３】
ステップＳ１８での一定時間が１０秒に設定されているのは、モデムＡが接続記録データをサーバーＢから受信して、返信データを送信するまでの時間を、モデムＡ内の記憶部１３のデータが不正にコピーされ、その不正コピーデータが使用されてサーバーＢに不正に接続されるのに要する時間よりも短くするためであり、通信機器や回線速度に応じて前記一定時間は短く設定されてもよい。
【００５４】
ステップＳ２０では、通信端末３０で回線切断処理がなされると、モデムＡはそれを受け（ステップＳ２０；ＹＥＳ）、回線切断に係る処理を行い、処理を終了する。回線切断処理が行われていない場合（ステップＳ２０；ＮＯ）は、ステップＳ１６へ戻る。
【００５５】
次に、サーバーＢの処理について説明する。ステップＳ３０で、ユーザー側からの回線接続処理に基づき、回線が接続されると共に、ユーザー側の回線番号が取得され、ステップＳ３１へ進む。
【００５６】
ステップＳ３１で、サーバーＢは通信端末３０からモデムＡを介して、ユーザーＩＤとパスワードを受信する。ステップＳ３１で受信されたユーザーＩＤとパスワード及び回線番号は、ステップＳ３２でサーバーＢの記憶部２３に記憶されたユーザー登録データのユーザーＩＤとパスワードと照合が行われる。
【００５７】
照合の結果、正規ユーザーと認められた場合（ステップＳ３２；ＹＥＳ）はステップＳ３３へ進む。一方、照合の結果、正規ユーザーと認められなかった場合（ステップＳ３２；ＮＯ）は、ステップＳ４３へ進み、サーバーＢは記憶部２３に接続記録とエラー記録を書き込む。接続記録には、接続してきたユーザーから送信されてきたユーザーＩＤ、パスワード、回線番号、接続日時等が含まれる。
【００５８】
そして、ステップＳ４４で、サーバー側の管理者にエラー接続があった旨を通知するためにサーバーＢの管理用端末にエラー表示を行い、ステップＳ４５で、回線を切断する。
【００５９】
なお、正規ユーザーと認められなかった場合に、すぐに回線を切断せずユーザーＩＤとパスワードの送信要求が送信され、通信端末３０に再度ユーザーＩＤとパスワードの送信要求表示が行われるようにし、ユーザーに正しいユーザーＩＤとパスワードを送信する機会が再度与えられるようにしてもよい。
【００６０】
ステップＳ３３で、サーバーＢは、モデムＡに対してモデムＡ固有のシリアル番号及び回線番号を含む前回の接続記録の送信を要求するデータ送信要求を送信し、ステップＳ３４へ進む。ステップＳ３４で、サーバーＢは、モデムＡから過去の接続記録データのなかで最新の接続記録データの一部（接続確認要求信号、乱数データ、送信時間）と、モデムＡ固有のシリアル番号、回線番号を受信する。
【００６１】
なお、ステップＳ３３でデータ送信要求が送信されてから、所定時間経過以内にモデムＡから返信データを受信しない場合は、ステップＳ４３からＳ４５の処理を行い、処理を終了してもよい。
【００６２】
ステップＳ３４で、サーバーＢはモデムＡからの回線番号等のデータを受信し、ステップＳ３５で、受信データに過去の接続記録データが含まれているか否かを判別する。過去の接続記録データが含まれている場合（ステップＳ３５；ＹＥＳ）は、ユーザーＩＤとパスワードから特定されたユーザーに関するサーバーＢが有する過去の最新の接続記録データ及びユーザー登録データと、受信データの接続記録データ等が一致するか否かが判別される。具体的には、乱数データ、送信時間、モデムＡ固有のシリアル番号、回線番号がそれぞれ一致するか否かが照合される。
【００６３】
なお、上記照合では、モデムＡ固有のシリアル番号、回線番号は、ユーザー登録データが参照されているが、これらは、サーバーＢが有する過去の最新の接続記録データにふくまれるものが参照されてもよい。
【００６４】
モデムＡの記憶部１３への接続記録データの前回の最終更新処理が、エラーによって正しく実行されていない場合がある。その場合は、サーバーＢによる接続記録データの照合において、サーバーＢが有しているモデムＡの過去の最新接続記録データと受信データの接続記録データが一致しない。このことを考慮し、サーバーＢは過去１０回分の接続記録データまでさかのぼって照合を試みる。なお、設定により、サーバーＢがさかのぼって照合する接続記録データの数を変更することは可能である。
【００６５】
照合の結果、両者が一致した場合（ステップＳ３６；ＹＥＳ）、サーバーＢはモデムＡを確認し、ユーザーＩＤとパスワードから特定された接続者は正規ユーザーであると判別され、ステップＳ３８へ進む。
【００６６】
一方、照合の結果、ユーザーＩＤとパスワードによってユーザーとみなされた接続者からの返信データの接続記録データと、サーバーＢの過去の接続記録データとが一致しない場合（ステップＳ３６；ＮＯ）は、ユーザーＩＤ及びパスワードが不正に知得され、これらが使用されて不正に接続されたものとみなされる。そして、Ｓ４３からＳ４５の処理が行われ、回線は切断される。
【００６７】
ステップＳ３５において、受信データに過去の接続記録データ、すなわち、接続確認要求信号、乱数データ、送信時間が含まれていない場合（ステップＳ３５；ＮＯ）は、ステップＳ３７で受信データに含まれる回線番号とモデムＡ固有のシリアル番号が、サーバーＢの有するユーザー登録データと一致するか否かが照合される。
【００６８】
照合の結果、一致する場合（ステップＳ３７；ＹＥＳ）、ユーザーＩＤとパスワードから特定された接続者は、サーバーＢによって正規ユーザーであると判別され、ステップＳ３８へ進む。一方、一致しない場合（ステップＳ３７；ＮＯ）は、不正接続とみなされ、ステップＳ４３からＳ４５の処理が行われ、回線は切断される。
【００６９】
ここで、ステップＳ３７の照合の結果、接続者は、サーバーＢによって正規ユーザーであると判別された場合であっても、過去の接続記録データによる照合が行われていないため、不正接続者である可能性は残されている。
【００７０】
このため、サーバーＢの記憶部２３に接続記録データがなかった旨を示すフラグが、接続記録データに記憶されると共に、サーバーＢの管理者にフラグが立った状態で接続されていることを知らせるための表示が、サーバーＢの管理用端末に行われる。管理者は、過去の接続記録データに、フラグが頻繁に記憶されているようであれば、実際に正規ユーザーによって接続されているか否かの確認行為を行う。
【００７１】
上記ステップＳ１２からＳ１５及びＳ３３からＳ３７の処理において、モデムＡの固有シリアル番号の送受信及び照合は必ずしも行わなくてもよく、行わなくてもユーザーの確認は可能である。
【００７２】
また、ステップＳ３７の照合は必ずしも行われなくてもよく、ステップＳ３７の処理が行われない場合は、直接ステップＳ３８の処理へ移る。
【００７３】
そして、正規ユーザーのモデムＡは、サーバーＢによって一定時間ごとの接続確認が行われる。ステップＳ３８で、サーバーＢによって任意の記号からなる乱数データが生成され、接続確認要求信号、生成された乱数データ、現在時間、モデムＡの固有シリアル番号、回線番号等からなる接続確認要求が、モデムＡへ送信される。
【００７４】
なお、ステップＳ３８で、サーバーＢによってデータが送信されると、ステップＳ３９で、サーバーＢ内のタイマがスタートする。前記タイマの設定時間は、例えば６０秒に設定されており、設定時間が経過してもステップＳ４０のモデムＡからの返信がない場合は、図３の割り込みルーチンのステップＳ５０へ進む。
【００７５】
そして、ステップＳ５１で、サーバーＢによって、記憶部２３にモデムＡから最終に受信された接続記録データとエラー記録が書き込まれる。それと共に、前記タイマのタイムアップによる回線切断であることを示すフラグが、接続記録データに記録される。
【００７６】
さらに、ステップＳ５２で、サーバー側の管理者に前記タイマのタイムアップによる回線切断であることを通知するため、サーバーＢの管理用端末にその旨の表示が行われ、ステップＳ５３で回線が切断される。
【００７７】
このタイマは、何らかの原因で回線が切断されてしまった場合、もしくは通信回線の混み具合によって返信が遅れる場合が、考慮され設定時間が設定されている。したがって、ステップＳ１８の一定時間に送受信にかかる遅れ時間を加えた時間以上であれば６０秒でなくてもかまわない。
【００７８】
ステップＳ４０で、サーバーＢによって、モデムＡから接続記録データが受信され、ステップＳ４１で、ステップＳ３８の処理によって送信された接続確認要求のデータ及びサーバーＢが有するモデムＡの固有シリアル番号と、モデムＡからの返信データとが照合される。
【００７９】
照合の結果、それらが一致した場合（ステップＳ４１；ＹＥＳ）は、ステップＳ４２で、モデムＡからの返信データを接続記録データとして記憶部２３に保存する。接続記録データは、サーバーＢによってモデムＡごとに更新保存され、再びステップＳ３８へ戻る。
【００８０】
以下、ユーザーが回線切断するまで接続中は、サーバーＢはこの接続確認（Ｓ３８からＳ４２）を繰り返す。また、モデムＡもサーバーＢからの接続確認要求に従って、Ｓ１６からＳ１９を繰り返す。なお、この接続確認ルーチンにおいて、モデムＡの固有シリアル番号のデータ送受信及びこれらの照合は必ずしも行わなくてもよい。
【００８１】
一方、ステップＳ４１で、照合の結果が一致しないと判別された場合（ステップＳ４１；ＮＯ）は、サーバーＢへ不正に接続されたとみなされ、ステップＳ４３からＳ４５の処理が行われ、回線が切断される。
【００８２】
回線接続中は、上記接続確認を一定間隔で繰り返し行い続け、サーバーＢはモデムＡの存在を確認し続ける。したがって、モデムＡが接続していないときにモデムＡに成り代わって、他のユーザーが不正にサーバーＢに接続することはできず、ユーザーもサーバー側も安全に回線接続を行うことができる。また、ユーザーＩＤ、パスワード、任意の記号等は周知の技術で暗号化され送受信されてもよい。サーバーＢは、接続記録データを蓄積するので、モデムＡごとの接続状況の把握が容易となる。
【００８３】
次に、プロバイダーＣがモデムＡを用いたユーザーの確認方法を使用してサービスを提供する方法について図４乃至図６にもとづき説明する。まず、プロバイダーＣは、新たに設立されるか、又は既に業務を行っているプロバイダーと業務提携することにより、インターネット接続サービスを行う。
【００８４】
プロバイダーＣは、商品・情報提供企業を募り、前記企業はモデムＡを介して専用線等でプロバイダーＣと常時接続され、プロバイダーＣは前記企業から商品及び情報の提供を受ける。したがって、商品・情報提供企業は、プロバイダーＣによって常に所定時間ごとに接続確認が行われ、プロバイダーＣが提供する各種サービスを受けられる。
【００８５】
また、プロバイダーＣは、通信端末３０からモデムＡを使用してプロバイダーＣ経由でインターネット接続するサービスの契約をユーザーと行う。プロバイダーＣは、運転免許証等の身元を確認できるものでユーザーを確認し、モデムＡをユーザーへ貸付ける契約を交わす。ユーザーが支払う接続費用とモデムＡの貸付け料は、銀行自動引き落としによってプロバイダーＣへ支払われる。契約後、プロバイダーＣ及びユーザーによって、それぞれ回線接続のための設定が行われる。要すれば電話局側も設定の変更も行われる。
【００８６】
例えば、ユーザーは、モデムＡを介して、図４のようにルーター経由でパソコン等の通信機器３０と常時接続回線を接続する。また、パソコン等の通信機器３０とモデムＡを直接接続することも勿論可能である。さらに、モデムＡがパソコン等に内蔵された構成とすれば好適である。
【００８７】
プロバイダーＣは、プロバイダーＣが運営するウェブサイトに、商品・情報提供企業からの商品及び情報の提供の購入表示を行う。商品・情報としては、デパート、小売店等の商品販売、新聞社、雑誌社、証券会社等の情報提供、運輸会社等の予約手配、競馬、競艇等のギャンブル、学校、在宅医療等の教育関係、ゲーム、音楽等の娯楽等がある。さらに、テレビ局誘致によるブロードバンド放送、ペイテレビのような情報の提供、情報・ソフトウエアー等の有料提供及び販売等が考えられる。
【００８８】
ユーザーは、通信端末３０からモデムＡを介してプロバイダーＣへ回線接続し、プロバイダーＣの提供するＨＰ閲覧、電子メール等のサービスを受ける。ユーザーのモデムＡは、回線接続中、プロバイダーＣのサーバーＢによって定期的に接続を確認される。
【００８９】
図６にもとづき、前記ウェブサイトで商品等を購入する場合の商品等の流れについて説明する。ユーザーは、通信機器３０でウェブブラウザによって前記ウェブサイトを閲覧することができ、商品及び情報販売用の画面を通信機器３０の表示部に表示させることが可能である。
【００９０】
ウェブサイトに表示された商品及び情報を購入する場合は、ウェブサイトの表示に従い購入の意思表示を行う。具体的には、ブラウザによって表示されたウェブサイトの画面上にある該当商品の購入ボタン等が押下される。
【００９１】
そして、商品の購入ボタンが押下されると、その商品の配送方法が画面上に表示され、配送方法が選択され該当配送方法のボタンが画面上で押下される。配送方法は、配送会社を利用する方法、或いはコンビニエンスストア等までは流通経路に載せユーザーがコンビニエンスストア等まで受け取りに行く方法等のうちから選択される。
【００９２】
購入ボタン等が押下されると、商品・情報提供企業、商品及び情報、商品及び情報の単価、数量等の購入データがブラウザの機能により任意に暗号化されプロバイダーＣへ自動的に送信される。サーバーＢは、ユーザーをモデムＡによって常に認証確認し続けているので、購入者を特定することができる。したがって、不正接続者によってユーザーに成り代わって、不正に購入データがプロバイダーＣへ送信されることを防ぐことができる。
【００９３】
プロバイダーＣのサーバーＢによって、暗号化された前記購入データが受信されて復号化されると、モデムＡごとの購入記録はサーバーＢの記憶部２３へ追加される。これにより、ユーザーの商品購入及び情報入手はサーバー側で管理することができる。さらに、該当する商品・情報提供企業に購入データとモデムＡによって確認されたユーザーの住所、氏名等が送信される。
【００９４】
ユーザーによって情報が購入される場合は、サーバーＢからユーザーの通信端末３０へ回線を通じて前記情報が送信される。商品が購入される場合は、商品提供企業が前記購入データ等を受け取った時点で、商品の配送手配が行われ、ユーザーへ商品が配送される。
【００９５】
プロバイダーＣからユーザーへの商品購入・情報入手等（パケット通信等）に対する請求は、毎月プロバイダーＣに支払う接続費とモデムＡの貸付け料に、ユーザーの購入記録にもとづき商品・情報入手費が加算される。課金請求の対象はモデムＡである。モデムＡの使用者であるユーザーには毎月の利用料金明細が送付される。請求額は、銀行自動引き落としによってユーザーから支払われる。
【００９６】
商品・情報提供企業ごとにユーザーの購入データが、プロバイダーＣによって集計され、ユーザーからの入金が確認されると、それぞれの商品・情報提供企業に対し支払いが行われる。プロバイダーＣは、商品・情報提供企業に対する支払額の数％を管理手数料等として徴収する。
【００９７】
ユーザーの認証は、サーバーＢとモデムＡによって所定期間ごとに行われている。したがって、ユーザーはモデムＡによって特定されるため、クレジットカード番号や銀行口座を商品等の購入時に入力する必要がない。したがって、これらの番号が不正に流出することによって、不正使用される可能性がなくなる。また、クレジットカード番号や銀行口座、氏名、電子メールアドレス等を購入時に入力する手間が省ける。
【００９８】
以上のように、商品等のインターネット上での購入に関して、所定時間ごとに接続確認されているモデムＡによって、ユーザーが特定されるので、不正にユーザーに成りすました接続者や誤使用による接続者に対して誤って商品提供されることがなくなる。したがって、商品・情報提供企業は、安全かつ確実に商品を提供することができる。
【００９９】
ユーザーも、自らを偽る不正接続者によって購入した覚えのない代金を請求されるということがなくなる。代金の支払いに関しても、ユーザーの秘密情報であるクレジットカード番号等の入力が不要になることから、誤ってもしくは不正に他者に秘密情報が漏れるということがなくなる。ユーザー及び商品・情報提供企業にとっても、支払い又は請求をまとめてプロバイダーＣにのみすればよいだけなので都合がよい。
【０１００】
なお、プロバイダーＣと契約をしていないユーザーが、ウェブサイトに接続し商品等の購入を行う場合もある。この場合、前記契約外ユーザーは、商品等を購入するときに、住所、氏名、クレジットカード番号等を入力することによって特定される。さらに、前記契約外ユーザーは、所定事項を入力することにより商品等の購入が可能となる。
【０１０１】
また、ユーザー及びプロバイダーＣの課金請求方法に関しては、銀行自動引き落としや代金回収業者による回収としてもよく、クレジット会社との提携も可能である。代金回収業者は専門業者が好ましい。
【０１０２】
また、商品・情報は、企業による提供に限らず個人による提供も可能である。さらに、扱う商品等の金額に関しては特に制限がないが、個人ユーザーの電子商取引という性格を考えると、あまり高額な商品等を取り扱わないことが望ましい。以上は、個人ユーザーが購入する場合であるが、個人ユーザーに限定されるものではなく、企業同士の電子商取引にも適用することが可能である。
【０１０３】
図５に示されているように、海外のプロバイダーにおいても同様のサービスを展開することが可能である。さらに、海外のプロバイダーとプロバイダーＣを専用線で繋ぐことにより、海外の商品・情報提供企業からの商品及び情報の購入も可能になる。
【０１０４】
この場合、プロバイダー間で、ユーザー管理と、ユーザーごとの購入データのやり取りとを、回線を通じて行うことにより、ユーザーは海外の商品等を購入する場合でも、国内のプロバイダーＣへ支払いを行えばよい。ユーザーが国内のプロバイダーＣへ支払いをした後、プロバイダー間で支払いを行い、さらに商品・情報提供企業に支払いを行えばよい。
【０１０５】
また、同様のサービスを行う複数の国内プロバイダーＣ間を専用線で繋ぎ、海外プロバイダーと同様のシステムを構成してもよい。このように、同様のサービスを行うプロバイダーをワールドワイドに接続することにより、参加する商品・情報提供企業及びユーザーを多数集めることができる。
【０１０６】
また、ユーザーの接続確認を定期的に行うモデムＡが使用されているので、多数のユーザーによって商品・情報購入サービスが利用されることが期待され、ユーザーが必要とする魅力ある情報提供企業の誘致が容易となることが期待される。さらに、モデムＡの普及の点から、モデムＡの貸付け料と接続料金を低めに設定することにより、多数のユーザーを獲得することが望ましい。
【０１０７】
また、今後通信回線の高速化及び通信装置等の部品進化に伴い、より多くの商品・情報流通が可能となり、ユーザーに対してきめ細かいサービスを行えるようになることが期待される。
【０１０８】
【発明の効果】
以上のように本発明の通信インターフェース、通信に於けるユーザー確認方法及びプログラムによれば、通信インターフェースを介して、ユーザー側通信端末とサーバーとが回線接続される時に、サーバーによってユーザーの回線番号が確認され、回線接続中はサーバーから所定時間ごとに、ユーザーの通信インターフェースへ確認のためのデータが送信され、通信インターフェースでは送信されたデータ受信し、このデータを含むデータを所定時間経過後にサーバーへ返信するように構成されている。
【０１０９】
そして、ユーザーの通信インターフェースから返信されてくるデータと、サーバーが送信したデータとが比較され、それらが一致することが確認されることにより、サーバーは、正規ユーザーの通信インターフェースが接続されていることを確認し続けることができる。
【０１１０】
さらに、本発明の通信インターフェースが使用される回線番号は、予め設定されているので、サーバーは、接続している通信インターフェースの使用場所を限定することができる。したがって、ユーザーとサーバーは、安全に回線を接続する事ができる。その際、サーバーもユーザー側も特に操作は必要とされない。
【０１１１】
また、サーバーとユーザーの通信端末は、本発明の通信インターフェースを介して接続されるので、不正使用者等によって他の通信端末から正規ユーザーのＩＤやパスワード等が不正使用、誤使用され回線接続されても、接続確認処理によって不正使用者等による接続であることが容易に判別される。そして、サーバーは、そのような不正アクセス情報や、通信インターフェースからの送信データによる正規ユーザーの回線使用状況等の接続情報の取得が可能となる。
【０１１２】
また、本発明の通信回線上における商品・情報の購入システムによれば、ユーザーが商品や情報を提供する企業から商品や情報を購入した場合、その購入者は、本発明の通信インターフェースによって認証される。したがって、課金対象である購入者が特定されると共に、明快な決済方法が確立される。
【０１１３】
また、定期的にプロバイダーによって通信インターフェースの接続確認が行われることにより、セキュリティーが強化される。したがって、本発明の通信インターフェースを使用して通信回線上における商品・情報の購入システムが構成されることによって、多数のユーザーによって利用されることが期待される。
【図面の簡単な説明】
【図１】本発明の実施例におけるモデムとサーバーの接続にかかる部分のブロック図である。
【図２】サーバーによるモデム確認の流れ図である。
【図３】サーバーによるモデム確認における割り込みルーチンの流れ図である。
【図４】プロバイダーとユーザーとの回線接続の説明図である。
【図５】プロバイダー、ユーザー及び商品・情報提供企業との回線接続の説明図である。
【図６】プロバイダー、ユーザー及び商品・情報提供企業との商品・情報等の流れの説明図である。
【符号の説明】
Ａ  モデム
Ｂ  サーバー
Ｃ  プロバイダー
１０、２０  制御ＣＰＵ
１１  接続機器送受信部
１２  常時接続送受信部
１３、２３  記憶部
２１  送受信部
３０  通信端末
【図１】
0003650353.tif 000002
【図２】
0003650353.tif 000003
【図３】
0003650353.tif 000004
【図４】
0003650353.tif 000005
【図５】
0003650353.tif 000006
【図６】
0003650353.tif 000007